(57)【要約】【課題】吊り上げ時の安定性が高く設置後に吊り線材を抜き出して再利用可能な布団篭及び布団篭の吊り上げ構造を提供すること。【解決手段】本発明の布団篭１は、函状の篭本体１０と、篭本体１０の底網の幅方向にわたって付設した複数の懸架支持材２０と、を備え、複数の懸架支持材２０は、内部に線材を挿通可能な挿通路２１を有し、複数の懸架支持材２０が、挿通路２１内の線材を保護可能な剛性と、吊り上げ時の篭本体１０の撓みに追従可能な可撓性とを兼備することを特徴とする。本発明の布団篭の吊り上げ構造Ａは、布団篭１と、懸架支持材２０の挿通路内２１を連通した吊り線材Ｈと、を備えることを特徴とする。【選択図】図１
2020076200.tif 000002
【特許請求の範囲】
【請求項１】
函状の篭本体と、
前記篭本体の底網の幅方向にわたって付設した複数の懸架支持材と、を備え、
前記複数の懸架支持材は、内部に線材を挿通可能な挿通路を有し、
前記複数の懸架支持材が、前記挿通路内の線材を保護可能な剛性と、吊り上げ時の前記篭本体の撓みに追従可能な可撓性とを兼備することを特徴とする、
布団篭。
【請求項２】
前記懸架支持材が、前記篭本体の底網の網目を巻き込んだコイル状体であることを特徴とする、請求項１に記載の布団篭。
【請求項３】
請求項１又は２に記載の布団篭と、
前記懸架支持材の挿通路内を連通した吊り線材と、を備えることを特徴とする、
布団篭の吊り上げ構造。
【請求項４】
前記挿通路内の前記吊り線材が、前記篭本体の底網の上方を通ることを特徴とする、請求項３に記載の布団篭の吊り上げ構造。
【発明の詳細な説明】
【技術分野】
【０００１】
本発明は、吊り上げ時の安定性が高く、設置後に吊り線材を抜き出して再利用可能な布団篭と、その吊り上げ構造に関する。
【背景技術】
【０００２】
布団篭は、斜面の土留めや海岸や河川の護岸などに用いる土木資材であって、溶接金網や菱形金網からなる面材を函状に組み立ててなる。布団篭の底網の下にワイヤをかけ渡した状態で内部に中詰材を投入し、ワイヤの端部をクレーンで吊り上げて設置場所に配置する。
特許文献１には、布団篭の上部に付設した吊りガイドによって、吊り上げ時に布団篭がワイヤに絞られて変形するのを防止する技術が開示されている。特許文献２には、布団篭の上部に付設した補強フレームと底面に配置した補強材の剛性によって、吊り上げ時の布団篭の変形を防止する技術が開示されている。
【先行技術文献】
【特許文献】
【０００３】
【特許文献１】特開２００２−１２１７２４号公報
【特許文献２】特開２０１５−２５２４０号公報
【発明の概要】
【発明が解決しようとする課題】
【０００４】
従来技術には次のような欠点があった。
＜１＞ワイヤを底網や立面に固定できないため、吊り上げ時のバランスが悪く、ワイヤの位置がずれて布団篭が傾くおそれがある。これを防止するためにはワイヤの本数を増やしたりワイヤを十字掛けする必要があり、作業効率が悪い。
＜２＞布団篭を設置場所に吊り下ろすと、ワイヤが中詰材の凹凸と地盤の間に噛み込まれて抜き出すことができない。このため、ワイヤの再利用ができず不経済である。また、残置したワイヤが劣化すると素線が断線してささくれ立ち、漁業従事者が怪我をしたり、魚網を損傷するなど周辺の設備や生物に被害を与えるおそれがある。
＜３＞特許文献２のように底網の下部に剛性の枠材を取り付ける構造は、枠材部分のワイヤに荷重が集中することでワイヤが損傷するおそれがある。
【０００５】
本発明の目的は、以上のような問題点を解決できる布団篭の吊り上げ構造を提供することにある。
【課題を解決するための手段】
【０００６】
本発明の布団篭は、函状の篭本体と、篭本体の底網の幅方向にわたって付設した複数の懸架支持材と、を備え、複数の懸架支持材は、内部に線材を挿通可能な挿通路を有し、複数の懸架支持材が、挿通路内の線材を保護可能な剛性と、吊り上げ時の篭本体の撓みに追従可能な可撓性とを兼備することを特徴とする。
この構成によれば、懸架支持材が内部に挿通路を備えるため設置後に吊り線材を抜き取って再利用することができる。しかも懸架支持材は篭本体の撓みに追従して底網を多接点で支持可能であるため安定して吊り上げることができる。
【０００７】
本発明の布団篭は、懸架支持材が、篭本体の底網の網目を巻き込んだコイル状体であってもよい。
この構成によれば、懸架支持材を底網に編み込むことで容易に組み立てできるとともに、懸架支持材が高い柔軟性・追従性・復原性を発揮することができる。
【０００８】
本発明の布団篭の吊り上げ構造は、布団篭と、懸架支持材の挿通路内を連通した吊り線材と、を備えることを特徴とする。
この構成によれば、懸架支持材が内部に挿通路を備えるため設置後に吊り線材を抜き取って再利用することができる。懸架支持材は篭本体の撓みに追従して底網を多接点で支持可能であるため安定して吊り上げることができる。
【０００９】
本発明の布団篭の吊り上げ構造は、挿通路内の吊り線材が、篭本体の底網の上方を通っていてもよい。
この構成によれば、懸架支持材が上部で中詰材の荷重を一部負担しつつ、内面の多接点で底網を吊り上げるため、底網の素線への荷重の集中を回避して損傷を防ぐことができる。
【発明の効果】
【００１０】
本発明の布団篭の吊り上げ構造は以上の構成を備えるため、次の効果のうち少なくとも一つを備える。
＜１＞底網に固定した可撓性の懸架支持材を介して吊り上げるため、ワイヤのずれがなく吊り上げ時のバランスが非常によい。このため、少ないワイヤ本数で安定して吊り上げることができ、作業性・安全性が高い。
＜２＞ワイヤの外周を懸架支持材で保護することによって、中詰材のワイヤへの噛み込みを防止し、布団篭の設置後に挿通路からワイヤを抜き出すことができる。このため、ワイヤを繰り返し利用できて経済的である。また、設置場所にワイヤを残置しないため、周辺環境への悪影響がない。
＜３＞懸架支持材が底網の変形に追従変形することで、懸架支持材の内側とワイヤとが多接点構造となる。このため、ワイヤの一部に荷重が集中して損傷するのを防止することができる。
＜４＞布団篭を護岸に利用する場合、細長く狭い挿通路を魚が好んで住み着くことで豊かな漁礁を構築することができる。
【図面の簡単な説明】
【００１１】
【図１】本発明の布団篭の説明図。
【図２】本発明の布団篭の吊り上げ構造の説明図。
【図３】本発明の布団篭の吊り上げ構造の説明図。
【図４】本発明の布団篭の吊り上げ構造の説明図。
【図５】本発明の布団篭の吊り上げ構造の説明図。
【図６】実施例２の説明図。
【発明を実施するための形態】
【００１２】
以下、図面を参照しながら本発明の布団篭の吊り上げ構造について詳細に説明する。
【実施例１】
【００１３】
[布団篭の吊り上げ構造]
＜１＞全体の構成（図１）。
本発明の布団篭１は、中詰材Ｍごと安定して吊り上げ可能かつ設置後に吊り線材Ｈを抜き取り可能な篭体である。
布団篭１は、少なくとも函状の篭本体１０と、篭本体１０の底網に付設した複数の懸架支持材２０と、を備える。
懸架支持材２０は、篭本体１０の底網の上面に幅方向にわたって付設する。
本例では、２本の懸架支持材２０を篭本体１０の長手方向の前後相対する位置に平行に付設する。ただし懸架支持材２０の本数や位置はこれに限らず、布団篭１の形状や中詰材Ｍの重量等によって適宜選択することができる。
【００１４】
＜２＞篭本体。
篭本体１０は、中詰材Ｍを充填する函状体である。
本例では篭本体１０として、菱形金網からなる略直方体状のパネル式布団篭を採用する。
ただし篭本体１０の形状や金網の種類はこれに限らない。要は底網が金網パネルであればよい。
【００１５】
＜３＞懸架支持材。
懸架支持材２０は、吊り線材Ｈで篭本体１０を吊り上げるとともに、布団篭１の設置時に吊り線材Ｈを中詰材Ｍの噛み込みから保護して抜き出し可能にするための部材である。
懸架支持材２０は、内部に吊り線材Ｈを挿通可能な挿通路２１を有する筒構造を呈し、長さは概ね篭本体１０の底網の幅程度とする。
懸架支持材２０は、中詰材Ｍの荷重から吊り線材Ｈを保護可能な程度の剛性と、吊り上げ時の篭本体１０の撓みに追従可能な程度の可撓性を兼備した部材から構成する。
本例では懸架支持材２０として、樹脂被覆した鉄線からなるコイル材を採用する。コイル材は、素材に由来する剛性と、構造に由来する高い柔軟性、追従性、及び復原性を兼ね備えるため、懸架支持材２０に至適である。
懸架支持材２０の他の例は実施例２にて詳述する。
【００１６】
＜４＞吊り上げ構造（図２）。
吊り上げ構造Ａは、中詰材Ｍを充填した布団篭１を吊り上げるための構造である。
吊り上げ構造Ａは、布団篭１の懸架支持材２０の挿通路２１内に吊り線材Ｈを連通してなる。
本例では吊り線材Ｈとしてワイヤロープを採用する。
吊り線材Ｈは、望ましくは挿通路２１のうち底網より上方の空間に通し（図３）、側面網の網目を通して外側に延出する。
【００１７】
＜５＞施工方法。
引き続き、布団篭１を使った施工方法について説明する。
【００１８】
＜５．１＞布団篭のセット。
布団篭１の懸架支持材２０内に吊り線材Ｈを挿通する。吊り線材Ｈの両端は側網の網目を通して外側に出しておく。
布団篭１の内部に所定量の中詰材Ｍを投入する。
【００１９】
＜５．２＞吊り上げ。
吊り線材Ｈの全ての端部を枠状の吊りフレームＦに接続し、吊りフレームＦをクレーンに玉掛けして布団篭１を吊り上げる（図４）。
吊り上げ時、中詰材Ｍの荷重で篭本体１０の底網は中心寄りに下方へ撓むが、可撓性の懸架支持材２０も篭本体１０の底網に追従して変形することで（図２）、底網に部分的に荷重が集中して破損するのを防止することができる。
また、懸架支持材２０の上部が周囲の中詰材Ｍと多点で接触することによって、中詰材Ｍの荷重を一部負担して、篭本体１０の底網にかかる荷重を低減することができる。
【００２０】
＜５．３＞設置。
布団篭１を所定の設置場所に吊り下ろす。
布団篭１の底網が地盤に接地すると、吊り上げ時の撓んでいた形状が復元する。
接地によって布団篭１底部の中詰材Ｍが地盤の石と噛み合う。しかし、吊り線材Ｈは剛性を備えた懸架支持材２０内に保持されているため、中詰材Ｍと石との間に噛み込まれることがない。
このため、吊り線材Ｈの一端を引っぱるだけで挿通路２１内から吊り線材Ｈを抜き取ることができる（図５）。抜き取った吊り線材Ｈは、繰り返し使用できる。
また、この吊り線材Ｈは、荷重が均等に分散した状態で使用されており、中詰材Ｍによる噛み込み跡もないため、傷みや変形が少なく、長期間にわたって使用することができる。
【実施例２】
【００２１】
[懸架支持材の他の実施例]
実施例１では懸架支持材２０として鉄線からなるコイル材を採用したが、これに限られない。
懸架支持材２０はコイル材の他、金属製の可撓性継手（図６）、補強鋼線入りの樹脂製ホース、ドレーン管として用いられる樹脂成形の網状パイプ等であってもよい。
要は内部に挿通路２１を備えた筒構造であって、中詰材Ｍの荷重に耐えうる程度の強度と篭本体１０の撓みに追従可能な可撓性を備えていればよい。
これらの懸架支持材２０は、番線等の適宜の固定具によって底網の上面に固定して用いる。
【符号の説明】
【００２２】
１    布団篭
１０  篭本体
２０  懸架支持材
２１  挿通路
Ａ    布団篭の吊り上げ構造
Ｆ    吊りフレーム
Ｈ    吊り線材
Ｍ    中詰材
【図１】
2020076200.tif 000003
【図２】
2020076200.tif 000004
【図３】
2020076200.tif 000005
【図４】
2020076200.tif 000006
【図５】
2020076200.tif 000007
【図６】
2020076200.tif 000008